【事件の表示】
　特願２０１６−１１０２４０「スマート・センサの方法及び装置」拒絶査定不服審判事件〔平成２８年１１月４日出願公開、特開２０１６−１８９２００〕について、次のとおり審決する。
【結　論】
　本件審判の請求は、成り立たない。
【理　由】
第１　手続の経緯
　本願は、２０１０年（平成２２年）８月２５日（パリ条約による優先権主張外国庁受理　２００９年９月２５日　米国）を国際出願日とする特許出願である特願２０１２−５２７９１４号の一部を平成２８年６月１日に新たな特許出願としたものであって、平成２９年８月３１日付けの拒絶理由の通知に対し、平成３０年２月５日に意見書が提出されるとともに手続補正がなされたが、平成３０年８月１７日付けで拒絶査定がなされ、これに対して平成３０年１２月２１日に拒絶査定不服審判の請求がなされると同時に手続補正がなされたものである。
第２　平成３０年１２月２１日にされた手続補正についての補正の却下の決定
［補正の却下の決定の結論］
　平成３０年１２月２１日にされた手続補正（以下「本件補正」という。）を却下する。
［理由］
１　本件補正について（補正の内容）
（１）本件補正後の特許請求の範囲の記載
　本件補正により、特許請求の範囲の請求項１の記載は、次のとおり補正された。（下線部は補正箇所である。）
「【請求項１】
　スマートセンサであって、
　センサデータを表すセンサ信号を生成する少なくとも１つのセンサと、
　前記センサ信号の受信に応答して、前記センサデータ
及びメタデータ
　当該スマートセンサを無線ネットワークと通信接続する通信モジュールであって、
前記センサデータ及び前記メタデータに少なくとも基づき、セルラテキストメッセージ、ツイート又は電子メールを含む、前記メッセージを送信するためのフォーマットを決定し、
前記決定されたフォーマットにより
を有するスマートセンサ。」
（２）本件補正前の特許請求の範囲
　本件補正前の、平成３０年２月５日にされた手続補正により補正された特許請求の範囲の請求項１は次のとおりである。
「【請求項１】
　スマートセンサであって、
　センサデータを表すセンサ信号を生成する少なくとも１つのセンサと、
　前記センサ信号の受信に応答して、前記センサデータの少なくとも一部を有するメッセージの生成を初期化するロジックと、
　当該スマートセンサを無線ネットワークと通信接続する通信モジュールであって、前記メッセージをセルラテキストメッセージ、ツイート又は電子メールとしてメッセージングシステムを介して当該スマートセンサと前記無線ネットワークを介し通信結合されるスマートデバイスに送信する通信モジュールと、
を有するスマートセンサ。」
２　補正の適否
　本件補正は、請求項１については、本件補正前の請求項１に記載された発明を特定するために必要な「ロジック」について、「前記センサ信号の受信に応答して、前記センサデータ
及びメタデータ
前記センサデータ及び前記メタデータに少なくとも基づき、セルラテキストメッセージ、ツイート又は電子メールを含む、前記メッセージを送信するためのフォーマットを決定し、
前記決定されたフォーマットにより
　そこで、本件補正後の請求項１に記載される発明（以下「本件補正発明」という。）が同条第６項において準用する同法第１２６条第７項の規定に適合するか（特許出願の際独立して特許を受けることができるものであるか）について、以下、検討する。
（１）本件補正発明
　本件補正発明は、上記１（１）に記載したとおりのものである。
（２）引用文献と引用発明
　原査定の拒絶理由で引用された本願の優先日前に頒布された又は電気通信回線を通じて公衆に利用可能となった文献である特開２００９−１９８５６５号公報（以下「引用文献」という。）には、図面とともに次の事項が記載されている。（下線は当審で付与した。）
「【０００１】
　
本発明は、デジタル画像データを表示する電子式写真立て（以下、「電子式フォトフレーム」という）に利用される表示装置に関するものであり、特に消費電力の低減、及び防犯に関する機能を備えた表示装置に関する
「【００３０】
　以下に本発明の実施形態を、図面を参照しながら説明する。なお、ここで示す実施形態は一例であり、本発明はここに示す実施形態に限定されるものではない。
〈１．内部構成について〉
　図２は、本発明の第一の実施形態に係る電子式フォトフレーム１（＝表示装置）の内部構成を示すブロック図である。電子式フォトフレーム１は少なくとも、制御部１１、フラッシュメモリ１２、操作部１３、表示部１４（＝表示手段）、バックライト１５（＝表示手段）、センサ部１６（＝センサ手段）、音声回路１７、スピーカ１８、通信Ｉ／Ｆ（Interface）部１９（＝通信手段）、通信制御部２０（＝通信手段）、電源部２１、メモリスロット２２、ＣＣＤ（Charge Coupled Devices）カメラ２３（＝撮像手段）、及び時計回路２４（＝計時手段）を含むように構成されている。またメモリスロット２２に対して外部記録媒体であるメモリカード９０を着脱可能である。
【００３１】
　制御部１１は、電子式フォトフレーム１における画像表示処理を実施するための各装置を制御する。これにより、フラッシュメモリ１２に記録されている画像や、外部より入力した画像の表示処理を統括制御する。制御部１１は、例えば複数のマイクロプロセッサから構成されている。また制御部１１は、各装置（例えばバックライト１５等）の制御やデータの計算、加工処理等を行う中枢部分となっている。なお、制御部１１が備える各機能部（図１に示す移行受付部１１ａ〜報知部１１ｅ）の詳細については後述する。
【００３２】
　フラッシュメモリ１２は、電子式フォトフレーム１が保持する各種データを一時的に記録する媒体である。フラッシュメモリ１２は、例えば制御部１１によって各種情報処理が行われる際の処理データや、表示部１４に表示するための画像データ、音声メッセージ或いは文字メッセージを出力するためのメッセージデータ、電話番号やメールアドレス等の個人データ等を記録する役割を持つ。
【００３３】−【００３４】（略）
【００３５】
　
センサ部１６は、電子式フォトフレームの近傍に存在する移動体を検知する移動体センサを含む。移動体センサとしては例えば、人体から発生する赤外線を感知する赤外線センサ、レーザ光やＬＥＤ（発光ダイオード）光等を発生してその反射光により移動体の近接を感知する光センサ、超音波を発生してその反射波により移動体の近接を感知する超音波センサ、大気の温度変化を測定することにより人体を検知する大気センサ等を用いることが可能である
【００３６】（略）
【００３７】
　
通信Ｉ／Ｆ部１９は、電子式フォトフレーム１を通信ネットワークと接続するための物理的なインタフェースである
【００３８】
　
通信制御部２０は、通信Ｉ／Ｆ部１９により接続された外部装置、例えばメールサーバや携帯電話等と相互通信を行うための通信制御を行う。これにより、電子メールの送受信を行ったり、外部の携帯電話で撮像された画像の受信等を実施することが可能である。また通信Ｉ／Ｆ部１９が無線アンテナを備える場合、無線通信網を介する無線通信の制御を行う役割も持つ。
【００３９】−【００４１】（略）
【００４２】
　
ＣＣＤカメラ２３は、画像撮像素子としてＣＣＤを用いた撮影部である。ＣＣＤは撮影レンズユニット（不図示）により結像された被写体の光像（光学情報）をＲ（赤）・Ｇ（緑）・Ｂ（青）の色成分の画像データに光電変換して出力する。
ＣＣＤカメラ２３により得られた画像データは、フラッシュメモリ１２に記録される
【００４３】
　
時計回路２４は、現在時刻を常時カウントするための計時用回路であり、例えばユーザに対する現在時刻の通知や、後述する報知部１１ｅにより現在時刻が画像の表示禁止時刻に該当するかどうかの判定を行う場合等に用いられる。
〈２．機能部の構成について〉
　ここで、本発明の一実施形態に係る電子式フォトフレーム１の発光量調整処理及び報知処理を実施するための各機能部の関係を、図１の機能ブロック図を用いながら説明する。
【００４４】
　図１に示すように本発明の発光量調整処理及び報知処理は少なくとも、制御部１１が備える移行受付部１１ａ、時刻受付部１１ｂ、発光量調整部１１ｃ、表示切替部１１ｄ、及び
報知部１１ｅ
センサ部１６
通信制御部２０
【００４５】（略）
【００４６】
　なお表示禁止モードは、例えばユーザが自宅を留守にする場合のように、電子式フォトフレーム１を閲覧する人間がいないと推定される状況において用いられる。表示禁止モードは、電源停止状態とは異なり、電子式フォトフレーム１の電源自体は駆動している。従って、後述する各種機能部による移動体の検知処理や、検知時の報知処理等を行うことは可能である。
【００４７】
　時刻受付部１１ｂは、表示部１４を用いた画像の表示を一切行わない時刻（以下、「表示禁止時刻」という）の指定を受け付ける。表示禁止時刻の指示は例えば、操作部１３によるユーザ操作等により、表示禁止開始時刻と表示禁止終了時刻との入力を受け付けることにより行われる。この指示を受け付けた時刻受付部１１ｂは、指定された表示禁止時刻を示す表示禁止時刻情報をフラッシュメモリ１２に記録する。
【００４８】−【００５０】（略）
【００５１】
　
報知部１１ｅは、センサ部１６が備える移動体センサにより移動体が検知された際に、現在のモードが表示禁止モードに該当するかを、フラッシュメモリ１２に記録されている動作モード情報より判定する。また併せて、時計回路２４を用いて現在時刻を取得し、取得した時刻がフラッシュメモリ１２に記録されている表示禁止時刻情報が示す表示禁止時刻に該当するかどうかの判定を行う。
【００５２】
　上記の判定の結果、
いずれかの条件に該当する場合、報知部１１ｅは通信制御部１５を用いて、移動体検知の報知処理を、外部の通信装置に対して行う。報知処理は例えば、フラッシュメモリ１２に予め記録されている文書データから定型文メールを作成し、所定のメールアドレスに送信することによって行う。この際、報知部１１ｅは、ＣＣＤカメラ２３を用いて電子式フォトフレーム１の周辺画像の撮像を行い、撮像画像を電子メールの添付データとして送信する。
〈３．電子式フォトフレームの外観について〉
　ここで、本発明の第一の実施形態に係る電子式フォトフレーム１の外観を、図３の正面
図、図４の上面図、及び図５の背面図を用いながら説明する。
【００５３】−【００５４】(略）
【００５５】
　また
電子式フォトフレーム１はその前面に、ＣＣＤカメラ２３が備え付けられている。このため、光センサ１６ａが移動体を検知し、且つ報知部１１ｅにより侵入者検知の報知を行う必要があると判定された場合に、電子式フォトフレーム１の前方に存在する移動体を撮像して外部通信装置へ送信することが可能である。
【００５６】（略）
【００５７】（略）
〈４．発光量調整処理及び報知処理について〉
　ここで、本発明の一実施形態に係る電子式フォトフレーム１の発光量調整処理及び報知処理を、図１〜図５のブロック図と図６のフロー図とを用いながら説明する。
【００５８】
　図６は、本発明に係る発光量調整処理及び報知処理の処理フローを示したフローチャートである。本処理は、電子式フォトフレーム１の電源が起動している状態において、任意のタイミングで開始可能である。
【００５９】
　
本処理の開始後、報知部１１ｅはステップＳ１１０において、センサ部１６が備える光センサ１６ａにより、移動体の近接を検知したかどうかの判定を行う
【００６０】
　移動体の近接が検知されなかった場合、ステップＳ１１０に再び移行する。
移動体の近接が検知された場合、報知部１１ｅはステップＳ１２０において、現在の動作モードが表示禁止モードであり、且つ表示禁止モードに移行してから所定時間が経過しているかどうかの判定を行う
【００６１】
　現在の動作モードが表示禁止モードであると判定された場合、後述するステップＳ１９０に移行する
【００６２】
　表示禁止時刻に該当するかどうかの判定は例えば、フラッシュメモリ１２に記録されている表示禁止時刻情報を参照することにより行われる。なお表示禁止時刻情報は、予め時刻受付部１１ｂにより受け付けた表示禁止時刻に基づき、フラッシュメモリ１２に記録されている。
【００６３】
　
現在の時刻が表示禁止時刻に該当すると判定された場合、後述するステップＳ１９０に移行する
【００６４】−【００６６】（略）
【００６７】
　説明をステップＳ１２０及びステップＳ１４０に戻すと、
ステップＳ１２０で表示禁止モードであると判定された場合、或いはステップＳ１４０で非表示時間に該当すると判定された場合、報知部１１ｅはステップＳ１９０において、ＣＣＤカメラ２３による撮像を行う。
【００６８】
　
ＣＣＤカメラ２３は図４に示すように、電子式フォトフレーム１の前面に設けられている。このため、悪意ある第三者、例えば不法侵入者が電子式フォトフレーム１の前方に近接した場合に、不法侵入者の画像を撮像することができる。次に報知部１１ｅはステップＳ２００において、移動体検知を報知するための定型文メールを作成する。なお定型文メール作成のために必要な定型文データや送信先アドレス情報は、予めフラッシュメモリ１２に記録されている
【００６９】
　
次に報知部１１ｅはステップＳ２１０において、作成した定型文メールに撮像した画像データを添付して画像添付メールを生成する。そして画像添付メールを、通信制御部２０を用いて外部の通信装置、例えば携帯電話やパソコン等に送信した後、本処理を終了する
【００７０】（略）
【００７１】
　また本実施形態によれば、ユーザが電子式フォトフレーム１の閲覧を行わない
表示禁止モード時や非表示時間において移動体が検知された場合に、不法侵入者とみなして画像添付メールを送信する
　図１は以下のとおり。
　上記記載より、引用文献１には、防犯に関する機能を備えた電子式フォトフレーム（段落【０００１】）について、以下の事項が記載されていると認められる。
ア　図１ないし図３に記載された実施形態において、「電子式フォトフレーム１」は、「センサ部１６」、「報知部１１ｅ」、「通信制御部２０」を有している。
イ　「センサ部１６」について、図１より、センサ部１６から報知部１１ｅへの信号線が看取でき、段落【００３５】より、前記「センサ部１６」は、「電子式フォトフレームの近傍に存在する移動体を検知する移動体センサを含」み、前記移動体センサとして「レーザ光やＬＥＤ（発光ダイオード）光等を発生してその反射光により移動体の近接を感知する光センサ」を用いることができ、段落【００５９】より、前記「報知部１１ｅ」は、「センサ部１６が備える光センサ１６ａにより、移動体の近接を検知したかどうかの判定を行う」ものであるから、センサ部１６は、報知部１１ｅが「移動体の近接を検知したかどうかの判定を行う」ための検知信号を生成して前記報知部１１ｅに送信するものといえ、さらに、前記検知信号は、前記光センサが反射光を検出した大きさ等のデータを表すものといえる。
　そうすると、引用文献には、「前記電子式フォトフレーム１の近傍に存在する移動体を検知して検知信号を生成する光センサを含むセンサ部１６」と、「前記検知信号は、前記光センサが反射光を検出した大きさ等のデータを表すもの」であることが記載されているといえる。
ウ　「報知部１１ｅ」について、上記イより、前記検知信号に基づいて「移動体の近接を検知したかどうかの判定を行う」ものといえ、「移動体の近接が検知された場合」（段落【００６０】）、さらに「現在の動作モードが表示禁止モードであると判定された場合」（段落【００６１】）、又は、「現在の時刻が表示禁止時刻に該当すると判定された場合」（段落【００６３】）には、「ＣＣＤカメラ２３による撮像を行う」（段落【００６７】）ものであり、さらに、「移動体検知を報知するための定型文メールを作成」（段落【００６８】）し、「作成した定型文メールに撮像した画像データを添付して画像添付メールを生成する」（段落【００６９】）ものであり、「定型文メール作成のために必要な定型文データや送信先アドレス情報は、予めフラッシュメモリ１２に記録されている」（段落【００６８】）。
　そうすると、引用文献には、「前記検知信号に基づいて移動体が検知された際に、現在の動作モードが表示禁止モードであると判定された場合、又は、現在の時刻が表示禁止時刻に該当すると判定された場合に、フラッシュメモリ１２に予め記録されている文書データから移動体検知を報知するための定型文メールを作成するとともに、ＣＣＤカメラ２３を用いて撮像した画像データを添付して画像添付メールを作成する報知部１１ｅ」が記載されているといえる。
エ　「通信制御部２０」について、段落【００３８】より、「通信Ｉ／Ｆ部１９により接続された外部装置、例えばメールサーバや携帯電話等と相互通信を行うための通信制御を行う」ことで、電子メールの送信を行うものであり、「また通信Ｉ／Ｆ部１９が無線アンテナを備える場合、無線通信網を介する無線通信の制御を行う役割も持つ」。
　そうすると、引用文献には、「通信Ｉ／Ｆ部１９により接続された外部装置、例えばメールサーバや携帯電話等と相互通信を行うための無線通信網を介する無線通信制御を行い、前記画像添付メールを送信する通信制御部２０」が記載されているといえる。
　上記アないしエより、引用文献には、次の発明（以下「引用発明」という。）が記載されていると認められる。
「防犯に関する機能を備えた電子式フォトフレーム１であって、
　前記電子式フォトフレーム１の近傍に存在する移動体を検知して検知信号を生成する光センサを含むセンサ部１６と、ここで、前記検知信号は、前記光センサが反射光を検出した大きさ等のデータを表すものであり、
　前記検知信号に基づいて移動体が検知された際に、現在の動作モードが表示禁止モードであると判定された場合、又は、現在の時刻が表示禁止時刻に該当すると判定された場合に、フラッシュメモリ１２に予め記録されている文書データから移動体検知を報知するための定型文メールを作成するとともに、ＣＣＤカメラ２３を用いて撮像した画像データを添付して画像添付メールを作成する報知部１１ｅと、
　通信Ｉ／Ｆ部１９により接続された外部装置、例えばメールサーバや携帯電話と相互通信を行うための無線通信網を介する無線通信制御を行い、前記画像添付メールを送信する通信制御部２０と、
　を備える電子式フォトフレーム１。」
（３）引用発明との対比、判断
　本件補正発明と引用発明とを対比する。
ア　引用発明の「光センサを含むセンサ部１６」は、本件補正発明の「少なくとも１つのセンサ」に相当し、それらが生成する引用発明の「前記光センサが反射光を検出した大きさ等のデータを表す」「検知信号」は、本件補正発明の「センサデータを表すセンサ信号」に相当する。
イ　本件補正発明の「前記センサ信号の受信に応答して、前記センサデータ及びメタデータの少なくとも一部を有するメッセージの生成を初期化するロジック」について、「初期化する」という用語は本件明細書に記載されておらずいかなる事項を意味するか不明確であるため、本件明細書の全体の記載を参照すると、前記「ロジック」は、本件明細書に記載された実施例の「監視ロジック２２０」に対応するものであるところ、本件明細書（段落【００３１】−【００３６】）には「監視ロジック２２０」について、「監視ロジック２２０はメッセージ・ロジック２２２及びメタデータ・ロジック２２４を含み得る。メッセージ・ロジック２２２は、センサ・イベントに基づいて、メモリ２３０のメッセージング構成２３８における１つ又は複数のメッセージからメッセージを選択し得る。」（段落【００３４】）及び「メタデータ・ロジック２２４は、メッセージング・ロジック２２２によって選択されるメッセージに添付される対象のメタデータを判定するためのハードウェア及び／コードを含み得る。・・・（中略）・・・一部の実施例では、メタデータ・ロジック２２４がマルチメディア・ファイルをメッセージに添付する。」（段落【００３５】）と記載され、さらに「メタデータ」について、「画像キャプチャなどのメタデータ」（段落【００３２】）の記載もある。
　そうすると、本件補正発明の「ロジック」は、「前記センサ信号の受信に応答して、センサ信号に基づいてセンサ・イベントを検出し、センサ・イベントに基づいてメッセージを作成し、前記メッセージにメタデータを添付するロジック」を含むといえ、「メッセージの生成を初期化する」とは、「メッセージを生成するための手順を最初から実行すること」であるといえる。
　この点を踏まえて引用発明の「報知部１１ｅ」の構成と、本件補正発明の「ロジック」の構成とを比較すると、引用発明の「前記検知信号に基づいて移動体が検知された際に、」は、本件補正発明の「前記センサ信号の受信に応答して、」に相当し、引用発明の「ＣＣＤカメラ２３を用いて撮像した画像データ」は、本件補正発明の「メタデータ」に相当する。さらに、引用発明の「現在の動作モードが表示禁止モードであると判定された場合、又は、現在の時刻が表示禁止時刻に該当すると判定された場合に、フラッシュメモリ１２に予め記録されている文書データから移動体検知を報知するための定型文メールを作成する」は、報知部１１ｅが、報知すべき状況である移動体検知（本件明細書の「センサ・イベント」に相当。）を判断して、報知するための定型文メールを作成するものであることを考慮すると、引用発明の「前記検知信号に基づいて移動体が検知された際に、現在の動作モードが表示禁止モードであると判定された場合、又は、現在の時刻が表示禁止時刻に該当すると判定された場合に、フラッシュメモリ１２に予め記録されている文書データから定型文メールを作成するとともに、ＣＣＤカメラ２３を用いて撮像した画像データを添付して画像添付メールを作成する報知部１１ｅ」は、本件補正発明の「前記センサ信号の受信に応答して、前記センサデータ及びメタデータの少なくとも一部を有するメッセージの生成を初期化するロジック」に含まれるといえる。
ウ　引用発明の「通信制御部２０」の構成と本件補正発明の「通信モジュール」の構成とを比較すると、引用発明の「無線通信網を介する無線通信制御を行う」ことは、本件補正発明の「無線ネットワークと通信接続する」ことに相当する。
　また、引用発明で送信される「画像添付メール」は、「定型文メール」に「画像データ」を添付したもの（すなわち、「定型文メール」及び「画像データ」に基づくもの）であり、本件補正発明の「セルラテキストメッセージ、ツイート又は電子メール」から選択される「電子メール」に相当する。そして、「電子メール」を送信するためには、電子メールを「送信するためのフォーマットを決定し、前記決定されたフォーマットにより」送信することは当然のことといえる。
　また、引用発明の「携帯電話」は、本件補正発明の「スマートデバイス」に相当し、引用発明の「無線通信網を介」して「画像添付メールを送信する」ことは、本件補正発明の「前記メッセージを」、「前記無線ネットワークを介して通信結合されるスマートデバイスに送信する」ことに相当する。
エ　引用発明の「電子式フォトフレーム１」は、「防犯に関する機能」を備え、該機能のための、「センサ部１６」、「報知部１１ｅ」、「通信制御部２０」を有しているから、本件補正発明の「スマートセンサ」に含まれるといえる。
　以上より、本件補正発明と引用発明とは、
「スマートセンサであって、
　センサデータを表すセンサ信号を生成する少なくとも１つのセンサと、
　前記センサ信号の受信に応答して、前記センサデータ及びメタデータの少なくとも一部を有するメッセージの生成を初期化するロジックと、
　当該スマートセンサを無線ネットワークと通信接続する通信モジュールであって、前記センサデータ及び前記メタデータに少なくとも基づき、電子メールを含む、前記メッセージを送信するためのフォーマットを決定し、前記メッセージを前記決定されたフォーマットによりメッセージングシステムを介して当該スマートセンサと前記無線ネットワークを介し通信結合されるスマートデバイスに送信する通信モジュールと、
を有するスマートセンサ。」
である点で一致し、両者に差異はない。
　したがって、本件補正発明と引用発明は同一である。
　仮に、本件補正発明が引用発明に対して相違点を見いだすことができるとしても、本件補正発明は、引用発明に基づいて、当業者が容易に想到することができたものである。
　よって、本件補正発明は、特許法第２９条第１項第３号に該当するか、又は、同法同条第２項の規定により、特許出願の際独立して特許を受けることができないものである。
３　本件補正についてのむすび
　以上のとおり、本件補正は、特許法１７条の２第６項において準用する同法１２６条７項の規定に違反するので、同法１５９条１項の規定において読み替えて準用する同法５３条１項の規定により却下すべきものである。
　よって、上記補正の却下の結論のとおり決定する。
第３　本願発明について
１　本願発明
　平成３０年１２月２１日にされた手続補正は、上記のとおり却下されたので、本願の請求項に係る発明は、平成３０年２月５日にされた手続補正により補正された特許請求の範囲の請求項１ないし１１に記載された事項により特定されるものであるところ、その請求項１に係る発明（以下「本願発明」という。）は、その請求項１に記載された事項により特定される、前記第２［理由］１（２）に記載のとおりのものである。
２　原査定の拒絶理由の概要
　原査定の拒絶理由の概要は、以下のとおりである。
（新規性）この出願の請求項１に係る発明は、本願の優先権主張の日前に頒布された又は電気通信回線を通じて公衆に利用可能となった下記の引用文献に記載された発明であるから、特許法第２９条第１項第３号に該当し特許を受けることができない。
（進歩性）この出願の請求項１に係る発明は、本願の優先権主張の日前に頒布された又は電気通信回線を通じて公衆に利用可能となった下記引用文献に記載された発明に基づいて、その出願前にその発明の属する技術の分野における通常の知識を有する者が容易に発明をすることができたものであるから、特許法２９条２項の規定により特許を受けることができない。
引用文献：特開２００９−１９８５６５号公報
３　引用文献
　原査定の拒絶理由で引用された引用文献の記載事項は、前記第２［理由］２（２）に記載したとおりである。
４　対比・判断
　本願発明は、前記第２［理由］２で検討した本件補正発明から、「ロジック」に係る限定事項と、「通信モジュール」に係る限定事項を削除したものである。
　そうすると、本願発明の発明特定事項を全て含み、さらに他の事項を付加したものに相当する本件補正発明が、前記第２［理由］２（３）に記載したとおり、引用文献に記載された発明であるから、本願発明も引用文献に記載された発明である。
　仮に、本願発明が引用文献に記載された発明に対して相違点を見いだすことができるとしても、本願発明は、引用文献に記載された発明に基づいて、当業者が容易に想到することができたものである。
第４　むすび
　以上のとおり、本願発明は、特許法第２９条第１項第３号に該当し、又は、同法同条第２項の規定により特許を受けることができないから、他の請求項について検討するまでもなく、本願は拒絶すべきものである。
　よって、結論のとおり審決する。